(57)【要約】      （修正有）【課題】  電波状態が悪い状態において途中で通信が失敗した場合でも、１ファイル単位の送信が成功しやすいデジタルカメラ装置の通信転送方式を提供する。【解決手段】  撮影した静止画ファイルを、パソコン側にメールの添付ファイルとして転送するデジタルカメラ装置の通信転送方式において、表示部ＬＣＤ１１と、キー入力部７を使ってユーザーが送信ファイルを選択する送信ファイル選択手段と、無線ＬＡＮカード２１もしくは無線通信カード２２を使っての通信かどうかを判定する判定手段と、使用している場合は電波強度の状態を取得する取得手段と、電波強度の状態に応じて選択された任意の数のファイルを１メールの複数添付ファイルとしてメール送信処理を実行するメール送信処理実行手段または選択された任意の数のファイルを１メール１添付ファイルとして複数のメール送信処理を実行する複数メール送信処理実行手段を選択する処理選択実行手段とを有する。【選択図】  図１
2005135316.tif 000002
【特許請求の範囲】
【請求項１】
所定のハードウエア構成と、所定のソフトウエア構造と、所定のメール通信手順方式を備え、無線ＬＡＮ手段もしくは無線通信手段を使用して、撮影した静止画ファイルを、ネットワークを介して、パソコン側にメールの添付ファイルとして転送するデジタルカメラ装置の通信転送方式において、表示部ＬＣＤと、キー入力部を使ってユーザーが送信ファイルを選択する送信ファイル選択手段と、無線ＬＡＮ手段もしくは無線通信手段を使っての通信かどうかを判定する判定手段と、使用している場合は電波強度の状態を取得する取得手段と、選択された任意の数のファイルを１メールの複数添付ファイルとしてメール送信処理を実行するメール送信処理実行手段及び選択された任意の数のファイルを１メール１添付ファイルとして複数のメール送信処理を実行する複数メール送信処理実行手段と、電波強度／状態に応じて上記メール送信実行手段及び複数メール送信実行手段のいずれかを選択する処理選択実行手段とを有することを特徴とするデジタルカメラ装置の通信転送方式。
【請求項２】
前記デジタルカメラ装置に１メールに対して、電波強度／状態別に最大添付ファイル数を事前に設定する設定手段と、表示部ＬＣＤとおよびキー入力部を使ってユーザーが送信ファイルを選択する送信ファイル選択手段と、送信ファイルの選択完了後、無線ＬＡＮ手段もしくは無線通信手段を使っての通信かどうかを判定し、使用している場合は電波強度／状態を取得する判定・取得手段と、電波強度／状態に対応した１メールの最大添付ファイル数にしたがって添付ファイルを設定し、複数のメール送信処理を実行するメール送信処理実行手段を有することを特徴とする請求項１記載のデジタルカメラ装置の通信転送方式。
【請求項３】
全添付ファイル数の送信が完了していない場合は、再度電波強度／状態を取得して、１メール１添付ファイルとするか判定しメール送信処理を繰り返すメール送信処理繰り返し手段とを有することを特徴とする請求項１記載のデジタルカメラ装置の通信転送方式。
【請求項４】
所定のハードウエア構成と、所定のソフトウエア構造と、所定のメール通信手順方式を備え、無線ＬＡＮ手段もしくは無線通信手段を使用して、撮影した静止画ファイルを、ネットワークを介して、パソコン側にＦＴＰ転送するデジタルカメラ装置の通信転送方式において、表示部ＬＣＤと、キー入力部を使ってユーザーが送信ファイルを選択する送信ファイル選択手段と、送信ファイルの選択完了後、無線ＬＡＮ手段もしくは無線通信手段を使っての通信かどうかを判定し、使用している場合は電波強度／状態を取得する判定・取得手段と、電波強度／状態が弱と判定された場合は、送信対象となっている送信ファイルを縮小してＦＴＰ送信処理を実行するＦＴＰ送信処理実行手段を有することを特徴とするデジタルカメラ装置の通信転送方式。
【請求項５】
前記デジタルカメラ装置に電波強度／状態別に対応したファイルの縮小サイズを事前に設定する縮小サイズ設定手段と、表示部ＬＣＤと、キー入力部を使ってユーザーが送信ファイルを選択する送信ファイル選択手段と、送信ファイルの選択完了後、無線ＬＡＮ手段もしくは無線通信手段を使っての通信かどうかを判定し、使用している場合は電波強度／状態を取得する判定・取得手段と、電波強度／状態が強以外と判定された場合は、送信対象となっている送信ファイルを事前に登録された縮小サイズに合わせて縮小してＦＴＰ送信処理を実行するＦＴＰ送信処理実行手段とを有することを特徴とする請求項４記載のデジタルカメラ装置の通信転送方式。
【請求項６】
１ファイルのＦＴＰ送信が完了した場合は、再度電波強度／状態を取得して、縮小処理を実行するかどうかを判定しＦＴＰ送信処理を繰り返すＦＴＰ送信処理繰り返し手段を有することを特徴とする請求項４記載のデジタルカメラ装置の通信転送方式。
【発明の詳細な説明】
【技術分野】
【０００１】
本発明は、ハードウエア構成と、ソフトウエア構造と、メール通信手順方式を有し、無線ＬＡＮカードもしくは、無線通信カードを使用して、ネットワークを介して、撮影した静止画ファイルをＰＣ（パソコン）側にメールの添付ファイルとしてまたはＦＴＰとして転送するデジタルカメラ装置の通信転送方式に関するものである。
【背景技術】
【０００２】
近年、無線ＬＡＮカードや無線通信カードを使って、インターネットに接続して、撮影した静止画ファイルを送信する機能を有するデジタルカメラ装置が存在し始めている。
ここで、関連する先行技術として、特許文献１には、電池残量に応じて解像度を決定して送信することが開示され、特許文献２には、遠隔カメラをネットワークを介して接続することが開示され、特許文献３にはカメラの画像データをインターネットのサーバに転送することが開示され、そして、特許文献４には、特許文献３と同様であるが、インターネット経由での設定の変更が可能としたことが開示されている。
【特許文献１】特開２００１−１４８８０２公報
【特許文献２】特開２０００−１７５１７９公報
【特許文献３】特開２００１−２３０９６２公報
【特許文献４】特開２００１−２４５１９７公報
【発明の開示】
【発明が解決しようとする課題】
【０００３】
しかし、無線ＬＡＮカードや無線通信カードは、その環境に依存して電波状態が悪くなることもある。この場合、一度にデータ量の多い複数ファイルを送信する場合などはなかなか通信が成功しないと言う場合も存在している。
そこで本発明の目的は、上記の問題点を解決するために、電波状態が悪い状態において途中で通信が失敗した場合でも、１ファイル単位の送信が成功しやすいデジタルカメラ装置の通信転送方式を提供することにある。
【課題を解決するための手段】
【０００４】
前記の課題を解決するために、請求項１記載の発明では、所定のハードウエア構成と、所定のソフトウエア構造と、所定のメール通信手順方式を備え、無線ＬＡＮ手段もしくは無線通信手段を使用して、撮影した静止画ファイルを、ネットワークを介して、パソコン側にメールの添付ファイルとして転送するデジタルカメラ装置の通信転送方式において、表示部ＬＣＤと、キー入力部を使ってユーザーが送信ファイルを選択する送信ファイル選択手段と、無線ＬＡＮ手段もしくは無線通信手段を使っての通信かどうかを判定する判定手段と、使用している場合は電波強度の状態を取得する取得手段と、選択された任意の数のファイルを１メールの複数添付ファイルとしてメール送信処理を実行するメール送信処理実行手段及び選択された任意の数のファイルを１メール１添付ファイルとして複数のメール送信処理を実行する複数メール送信処理実行手段と、電波強度／状態に応じて上記メール送信実行手段及び複数メール送信実行手段のいずれかを選択する処理選択実行手段とを有するデジタルカメラ装置の通信転送方式を特徴とする。
また、請求項２記載の発明では、前記デジタルカメラ装置に１メールに対して、電波強度／状態別に最大添付ファイル数を事前に設定する設定手段と、表示部ＬＣＤとおよびキー入力部を使ってユーザーが送信ファイルを選択する送信ファイル選択手段と、送信ファイルの選択完了後、無線ＬＡＮ手段もしくは無線通信手段を使っての通信かどうかを判定し、使用している場合は電波強度／状態を取得する判定・取得手段と、電波強度／状態に対応した１メールの最大添付ファイル数にしたがって添付ファイルを設定し、複数のメール送信処理を実行するメール送信処理実行手段を有する請求項１記載のデジタルカメラ装置の通信転送方式を特徴とする。
また、請求項３記載の発明では、全添付ファイル数の送信が完了していない場合は、再度電波強度／状態を取得して、１メール１添付ファイルとするか判定しメール送信処理を繰り返すメール送信処理繰り返し手段とを有する請求項１記載のデジタルカメラ装置の通信転送方式を特徴とする。
【０００５】
また、請求項４記載の発明では、所定のハードウエア構成と、所定のソフトウエア構造と、所定のメール通信手順方式を備え、無線ＬＡＮ手段もしくは無線通信手段を使用して、撮影した静止画ファイルを、ネットワークを介して、パソコン側にＦＴＰ転送するデジタルカメラ装置の通信転送方式において、表示部ＬＣＤと、キー入力部を使ってユーザーが送信ファイルを選択する送信ファイル選択手段と、送信ファイルの選択完了後、無線ＬＡＮ手段もしくは無線通信手段を使っての通信かどうかを判定し、使用している場合は電波強度／状態を取得する判定・取得手段と、電波強度／状態が弱と判定された場合は、送信対象となっている送信ファイルを縮小してＦＴＰ送信処理を実行するＦＴＰ送信処理実行手段を有するデジタルカメラ装置の通信転送方式を特徴とする。
また、請求項５記載の発明では、前記デジタルカメラ装置に電波強度／状態別に対応したファイルの縮小サイズを事前に設定する縮小サイズ設定手段と、表示部ＬＣＤと、キー入力部を使ってユーザーが送信ファイルを選択する送信ファイル選択手段と、送信ファイルの選択完了後、無線ＬＡＮ手段もしくは無線通信手段を使っての通信かどうかを判定し、使用している場合は電波強度／状態を取得する判定・取得手段と、電波強度／状態が強以外と判定された場合は、送信対象となっている送信ファイルを事前に登録された縮小サイズに合わせて縮小してＦＴＰ送信処理を実行するＦＴＰ送信処理実行手段とを有する請求項４記載のデジタルカメラ装置の通信転送方式を特徴とする。
また、請求項６記載の発明では、１ファイルのＦＴＰ送信が完了した場合は、再度電波強度／状態を取得して、縮小処理を実行するかどうかを判定しＦＴＰ送信処理を繰り返すＦＴＰ送信処理繰り返し手段を有する請求項４記載のデジタルカメラ装置の通信転送方式を特徴とする。
【発明の効果】
【０００６】
本発明によれば、送信ファイルの選択完了後、無線ＬＡＮ手段もしくは無線通信手段を使っての通信かを判定し、使用している場合は電波強度／状態を取得し、電波強度／状態が強と判定された場合は、選択された任意の数のファイルを１メールの複数添付ファイルとしてメール送信処理を実行する。
電波強度／状態が弱と判定された場合は、選択された任意の数のファイルを１メール１添付ファイルとして、複数のメール送信処理を実行する。以上の処理を実行することによって、電波状態が悪い状態において途中で通信が失敗した場合でも、１ファイル単位の送信が成功しやすい通信方式を提供することができる。
【発明を実施するための最良の形態】
【０００７】
以下、図面により本発明の実施の形態を詳細に説明する。図１は本発明の１実施の形態であるデジタルカメラ装置のハードウエアの構成を示す概略図である。図１に示したデジタルカメラ装置は、システムバス１と、ＣＰＵ２と、プログラムを格納するＰＲＯＭ３を含んでいる。
デジタルカメラ装置は、また、プログラムやデータのワーク領域のＲＡＭ４と、撮影された画像ファイルや、システムファイルや、データファイルなどを格納する内蔵メモリ５と、ハードキーを検出するキーＩ／Ｆ制御部６と、シャッターや、ズームキーなどのハードキー７を含んでいる。
デジタルカメラ装置は、さらに、カメラ部９と、このカメラ部９を制御するカメラ制御部８と、このカメラ制御部８から取り込まれた画像をＪＰＥＧに圧縮したり、メモリに格納されているＪＰＥＧデータを解凍したりする画像圧縮伸張制御部１２を含んでいる。
デジタルカメラ装置は、そのうえ、カメラ制御部８からの画像データや、画像圧縮伸張制御部１２からの画像データをＬＣＤ部１１に映像信号として出力したりする画像制御部１０と、シリアルＩ／Ｆ制御部１３と、ＵＳＢ Ｉ／Ｆ制御部１４と、ＣＦ制御部１５と、ＣＦ Ｉ／Ｆ１６を含んでいる。
また、デジタルカメラ装置は、ＣＦ Ｉ／Ｆ１６に挿入されるモデム１９と、メモリ２０と、無線ＬＡＮカード２１と、無線通信カード２２と、ＰＣ２６とデジタルカメラ装置を接続するシリアルケーブル２４と、ＵＳＢケーブル２５と、ＳＤ制御部１７と、ＳＤ Ｉ／Ｆ１８と、このＳＤ Ｉ／Ｆ１８に挿入されるＳＤ２３と、ネットワーク２８と接続されているＬＡＮ Ｉ／Ｆ２７とを含んで構成されている。
撮影された静止画ファイルは、内蔵メモリ５もしくは、着脱可能なメモリ２０もしくは、ＳＤ２３に格納される。格納された静止画ファイルはＣＦ Ｉ／Ｆ１６に挿入接続されたモデム１９もしくは、無線ＬＡＮカード２１もしくは、無線通信カード２２を使って、ネットワーク２８を介して接続されているＰＣ２６に静止画ファイルを送信する。
無線ＬＡＮカード２１もしくは、無線通信カード２２は、電波強度／状態を検出する機能を有する。デジタルカメラ装置は、無線ＬＡＮカード２１もしくは、無線通信カード２２を使って、静止画ファイルを送信する場合は、電波強度／状態の状態を監視することができる。
【０００８】
図２は本発明の１実施の形態であるデジタルカメラ装置のソフトウエアの構成を示す概略図である。図２に示したデジタルカメラ装置Ａのソフトウエアは、アプリケーション３０と、ＦＴＰ（ファイルトランスファプロトコル）クライアント３１とを含んでいる。
ソフトウエアは、また、マイム（多目的インターネットメールイクステンション）３２と、ＳＭＴＰ（シンプルメールトランスファプロトコル）３３と、ＴＣＰ／ＩＰ（トランスミッションコントロールプロトコル／インターネットプロトコル）３４とを含んでいる。
ソフトウエアは、さらに、ＷＬＡＮドライバ３５と、ＷＬＡＮコントローラ３６と、ＰＰＰ（ポイント・ツー・ポイントプロトコル）／ダイアルアップ３７と、無線通信コントローラ３８とから構成されている。
ＰＣ端末４１は、アプリケーション４２と、マイム４３と、ＰＯＰ（ポストオフイスプロトコル）４４と、ＴＣＰ／ＩＰ４５と、ＬＡＮドライバ４６と、ＬＡＮコントローラ４７から構成されている。デジタルカメラ装置Ａと、ＰＣ端末４１と、メールサーバー４８は、ネットワーク２８に接続されている。
本発明の第１の実施の形態においては、アプリケーション３０からマイム３２と、ＳＭＴＰ３３と、ＴＣＰ／ＩＰ３４と、ＷＬＡＮドライバ３５と、ＷＬＡＮコントローラ３６を使ってメール通信を実現している。
送信されたメールはメールサーバー４８に送信される。ＰＣ端末４１は、マイム４３と、ＰＯＰ４４と、ＴＣＰ／ＩＰ４５と、ＬＡＮドライバ４６と、ＬＡＮコントローラ４７を使ってメールサーバー４８から送信されたメールを受信する。
【０００９】
図３は本発明の１実施の形態であるデジタルカメラ装置と、メールサーバーとのメール通信手順を示す概略図である。デジタルカメラ装置Ａは、メールサーバー４８（図２）に接続要求を発行し接続オーケーが返るのを待つ。
次に通信開始要求を送信し開始オーケーが返るのを待つ。次にメール送信開始要求を発行し開始オーケーが返るのを待つ。次にメール宛先を送信し受信オーケーが返るのを待つ。
次にメール本文送信要求を発行し送信オーケーが返るのを待つ。次に任意の数の添付ファイルを添付したメール本文を送信する。送信が終了すると終了通知が返る。
複数の宛先に対してメールを送信する場合は、メール送信開始要求から処理を繰り返す。全てのメールを送信し終わると、通信終了要求を発行し、終了オーケーが返るのを待つ。
【００１０】
図４は第１の実施の形態における静止画ファイル送信処理フローを説明するフローチャートである。本発明の第１の実施の形態においては、図１のハードウエア構成と、図２のソフトウエア構造と、図３のメール通信手順方式を有している。
そのさいデジタルカメラ装置の通信転送方式は無線ＬＡＮカードもしくは、無線通信カードを使用して、ネットワークを介して、撮影した静止画ファイルをＰＣ側にメールの添付ファイルとして転送するように構成される。この場合に、表示部ＬＣＤと、キー入力部を使ってユーザーが送信ファイルを選択する。
図４において、送信ファイルの選択が完了かどうかを判断し（Ｓ１）、完了ならば、無線ＬＡＮカード２１もしくは、無線通信カード２２を使っての通信か判定し（Ｓ２）、使用している場合は電波強度／状態を取得する（Ｓ３）。
電波強度／状態が強と判定された場合は（Ｓ４）、選択された任意の数のファイルを１メールの複数添付ファイルとして（Ｓ５）メール送信処理を実行する（Ｓ６）。電波強度／状態が弱と判定された場合は、選択された任意の数のファイルを１メール１添付ファイルとして（Ｓ７）、複数のメール送信処理を実行する（Ｓ８）。
全添付ファイル送信完了かどうかを判断して（Ｓ９）、完了ならば、静止画ファイル送信処理を終了する。以上の処理を実行することによって、電波状態が悪い状態において途中で通信が失敗した場合でも、１ファイル単位の送信が成功しやすい通信方法を提供することを可能にしている。
【００１１】
図５は第２の実施の形態における静止画ファイル送信処理フローを説明するフローチャートである。本発明の第２の実施の形態においては、図１のハードウエア構成と、図２のソフトウエア構造と、図３のメール通信手順方式を有している。
そのさいデジタルカメラ装置の通信転送方式は無線ＬＡＮカード２１もしくは、無線通信カード２２を使用して、ネットワークを介して、撮影した静止画ファイルをＰＣ側にメールの添付ファイルとして転送するように構成される。この場合に、表示部ＬＣＤと、キー入力部を使ってユーザーが送信ファイルを選択する。
デジタルカメラ装置Ａに１メールに対して、電波強度／状態別に最大添付ファイル数を事前に設定する。図５において、表示部ＬＣＤと、キー入力部を使ってユーザーが送信ファイルを選択する。送信ファイルの選択完了かどうかを判断する（Ｓ１１）。
送信ファイルの選択完了後、無線ＬＡＮカード２１もしくは、無線通信カード２２を使っての通信かどうかを判定し（Ｓ１２）、使用している場合は電波強度／状態を取得する（Ｓ１３）。
電波強度／状態が強でないならば（Ｓ１４）、電波強度／状態が中であるかどうかを判断する（Ｓ１５）。電波強度／状態に対応した１メールの最大添付ファイル数にしたがって添付ファイルを設定し（Ｓ１８），（Ｓ２１）、複数のメール送信処理を実行する（Ｓ１９）。
全添付ファイル送信完了かどうかを判断して（Ｓ２０）、完了ならば、静止画ファイル送信処理を終了する。また、電波強度／状態が強であるならば（Ｓ１４）複数添付ファイルを設定し（Ｓ１６）、メール送信処理を実行する（Ｓ１７）。
以上の処理を実行することによって、電波状態が悪い状態において途中で通信が失敗した場合でも、１ファイル単位の送信が成功しやすい通信方法を提供することを可能にしている。
すなわち、電波強度／状態に対応した１メールの最大添付ファイル数にしたがって添付ファイルを設定し、複数のメール送信処理を実行する。
【００１２】
図６は第３の実施の形態における静止画ファイル送信処理フローを説明するフローチャートである。本発明の第３の実施の形態においては、図１のハードウエア構成と、図２のソフトウエア構造と、図３のメール通信手順方式を有している。
そのさいデジタルカメラ装置の通信転送方式は無線ＬＡＮカード２１もしくは、無線通信カード２２を使用して、ネットワーク２８を介して、撮影した静止画ファイルをＰＣ側にメールの添付ファイルとして転送するように構成される。この場合に、表示部ＬＣＤと、キー入力部を使ってユーザーが送信ファイルを選択する。
デジタルカメラ装置Ａに１メールに対して、電波強度／状態別に最大添付ファイル数を事前に設定する。図６において、表示部ＬＣＤと、キー入力部を使ってユーザーが送信ファイルを選択する。送信ファイルの選択完了かどうかを判断する（Ｓ３１）。
完了しているならば、無線ＬＡＮカード２１もしくは、無線通信カード２２を使っての通信か判定し（Ｓ３２）、使用している場合は電波強度／状態を取得する（Ｓ３３）。
電波強度／状態が強と判定された場合は（Ｓ３４）、選択された任意の数のファイルを１メールの複数添付ファイルとして（Ｓ３５）、メール送信処理を実行する（Ｓ３６）。電波強度／状態が弱と判定された場合は、選択された任意の数のファイルを１メール１添付ファイルとして（Ｓ３７）、複数のメール送信処理を実行する（Ｓ３８）。
全添付ファイル送信完了かどうかを判断して（Ｓ３９）、完了ならば、静止画ファイル送信処理を終了する。全添付ファイル数の送信が完了していない場合は、この間電波状態が変わることもあるので再度電波強度／状態を取得して（Ｓ３３）、１メール１添付ファイルとするか判定しメール送信処理を繰り返す。
以上の処理を実行することによって、電波状態が悪い状態において途中で通信が失敗した場合でも、１ファイル単位の送信が成功しやすい通信方法を提供することを可能にしている。
【００１３】
図７は本発明のデジタルカメラ装置の変形例のソフトウエアの構成を示す概略図である。
図７に示したデジタルカメラ装置Ａのソフトウエアは、アプリケーション３０と、ＦＴＰクライアント３１と、マイム３２と、ＳＭＴＰ３３と、ＴＣＰ／ＩＰ３４と、ＷＬＡＮドライバ３５と、ＷＬＡＮコントローラ３６と、ＰＰＰ／ダイアルアップ３７と、無線通信コントローラ３８とから構成されている。
また、ＰＣ端末４１は、アプリケーション４２と、ＦＴＰサーバー４８と、ＴＣＰ／ＩＰ４５と、ＬＡＮドライバ４６と、ＬＡＮコントローラ４７から構成されている。デジタルカメラ装置Ａと、ＰＣ端末４１は、ネットワーク２８に接続されている。
上記本発明の変形例においては、アプリケーション４２からＦＴＰクライアント３１と、ＴＣＰ／ＩＰ３４と、ＷＬＡＮドライバ３５と、ＷＬＡＮコントローラ３６を使ってＦＴＰ通信のクライアント側の通信を実現している。
ＰＣ端末４１は、ＦＴＰサーバー４８と、ＴＣＰ／ＩＰ４５と、ＬＡＮドライバ４６と、ＬＡＮコントローラ４７を使ってＦＴＰ通信のサーバー側の通信を実現している。
【００１４】
図８は本発明の変形例であるデジタルカメラ装置と、ＰＣ端末４１〜ＮのＦＴＰ通信手順を示す概略図である。デジタルカメラ装置Ａは、接続先のＰＣ端末４１に接続要求を発行し接続オーケーが返るのを待つ。次にユーザー名を送信しユーザー名オーケーが返るのを待つ。
次にパスワードを送信しユーザーログインオーケーが返るのを待つ。以上の手順が終了することによって、ＦＴＰ通信の接続が完了する。次にファイル一覧要求を送信しファイル一覧が返るのを待つ。ファイル一覧を受信したらサーバー側でディレクトリ名が重ならないように新規ディレクトリの作成を要求しディレクトリ作成オーケーが返るのを待つ。
次に転送先のディレクトリ移動する要求を送信しディレクトリ移動オーケーが返るのを待つ。以上の手順が終了すると、デジタルカメラ装置Ａ側から送信される静止画ファイルや、音声ファイルの転送先のディレクトリの決定と移動が完了する。
次にデジタルカメラ装置Ａ内の静止画ファイルや、音声ファイルを任意の数だけ送信する。送信が完了したら切断要求を発行して通信を終了する。ＰＣ端末Ｎについても同様な手順を行なう。
【００１５】
図９は第４の実施の形態における静止画ファイル送信処理フローを説明するフローチャートである。第４の実施の形態においては、図１のハードウエア構成と、図７のソフトウエア構造と、図８のＦＴＰ通信手順方式を含んでいる。
無線ＬＡＮカードもしくは、無線通信カードを使用して、撮影した静止画ファイルを、ネットワークを介して、ＰＣ側にＦＴＰ転送するデジタルカメラ装置の通信転送方式において、表示部ＬＣＤと、キー入力部を使ってユーザーが送信ファイルを選択する。
送信ファイルの選択かどうかを判断し（Ｓ４０）、送信ファイルの選択完了ならば、無線ＬＡＮカードもしくは無線通信カードを使っての通信か判定し（Ｓ４１）、使用している場合は電波強度／状態を取得する（Ｓ４２）。
電波強度／状態を判定し（Ｓ４３）、電波強度／状態が弱と判定された場合は、送信対象となっている送信ファイルを縮小して（Ｓ４４）、ＦＴＰ送信処理を実行する（Ｓ４５）。この場合、縮小は、例えば画角や倍率等を縮小することがあげられる。この後、全添付ファイル送信完了かどうかを判定し（Ｓ４６）、完了ならば静止画ファイル送信処理を終了する。
以上の処理を実行することによって、電波状態が悪い状態において途中で通信が失敗した場合でも、１ファイル単位の送信が成功しやすい通信方法を提供することを可能にしている。
【００１６】
図１０は第５の実施の形態における静止画ファイル送信処理フローを説明するフローチャートである。第５の実施の形態においては、図１のハードウエア構成と、図７のソフトウエア構造と、図８のＦＴＰ通信手順方式を含んでいる。
無線ＬＡＮカードもしくは、無線通信カードを使用して、撮影した静止画ファイルを、ネットワークを介して、ＰＣ側にＦＴＰ転送するデジタルカメラ装置の通信転送方式において、デジタルカメラ装置に電波強度／状態別に対応したファイルの縮小サイズを事前に設定する。表示部ＬＣＤと、キー入力部を使ってユーザーが送信ファイルを選択する。
送信ファイルの選択かどうかを判断し（Ｓ５０）、送信ファイルの選択完了ならば、無線ＬＡＮカードもしくは無線通信カードを使っての通信か判定し（Ｓ５１）、使用している場合は電波強度／状態を取得する（Ｓ５２）。
電波強度／状態が強かどうかを判定し（Ｓ５３）、電波強度／状態が強でないと判定された場合は、さらに電波強度／状態が中かどうかを判定し（Ｓ５４）、電波強度／状態が中と判定された場合は、送信対象となっている送信ファイルを縮小１にする（Ｓ５５）。
また、電波強度／状態が弱と判定された場合は、送信対象となっている送信ファイルを縮小２にして（Ｓ５６）ＦＴＰ送信処理を実行する（Ｓ５７）。全添付ファイル送信完了かどうかを判定し（Ｓ５８）、完了ならば静止画ファイル送信処理を終了する。完了しない場合、Ｓ５３に戻り、再度電波の様子を判断する。
すなわち、電波強度／状態が強以外と判定された場合は、送信対象となっている送信ファイルを事前に登録された縮小サイズに合わせて縮小してＦＴＰ送信処理を実行する。
以上の処理を実行することによって、電波状態が悪い状態において途中で通信が失敗した場合でも、１ファイル単位の送信が成功しやすい通信方法を提供することを可能にしている。
【００１７】
図１１は第６の実施の形態における静止画ファイル送信処理フローを説明するフローチャートである。第６の実施の形態においては、図１のハードウエア構成と、図７のソフトウエア構造と、図８のＦＴＰ通信手順方式を含んでいる。
無線ＬＡＮカードもしくは無線通信カードを使用して、撮影した静止画ファイルを、ネットワークを介して、ＰＣ側にＦＴＰ転送するデジタルカメラ装置の通信転送方式において、表示部ＬＣＤと、キー入力部を使ってユーザーが送信ファイルを選択する。
送信ファイルの選択かどうかを判断し（Ｓ６０）、送信ファイルの選択完了ならば、無線ＬＡＮカードもしくは無線通信カードを使っての通信か判定し（Ｓ６１）、使用している場合は電波強度／状態を取得する（Ｓ６２）。
電波強度／状態が弱かどうかを判定し（Ｓ６３）、電波強度／状態が弱と判定された場合は、送信対象となっている送信ファイルを縮小して（Ｓ６４）、ＦＴＰ送信処理を実行する（Ｓ６５）。全添付ファイル送信完了かどうかを判定し（Ｓ６６）、完了ならば静止画ファイル送信処理を終了する。
１ファイルのＦＴＰ送信が完了した場合は、ステップ６２に戻り再度電波強度／状態を取得して、縮小処理を実行するか判定しＦＴＰ送信処理を繰り返す。以上の処理を実行することによって、電波状態が悪い状態において途中で通信が失敗した場合でも、１ファイル単位の送信が成功しやすい通信方法を提供することを可能にしている。
【図面の簡単な説明】
【００１８】
【図１】本発明の１実施の形態であるデジタルカメラ装置のハードウエアの構成を示す概略図である。
【図２】本発明の１実施の形態であるデジタルカメラ装置のソフトウエアの構成を示す概略図である。
【図３】本発明の１実施の形態であるデジタルカメラ装置と、メールサーバーとのメール通信手順を示す概略図である。
【図４】第１の実施の形態における静止画ファイル送信処理フローを説明するフローチャートである。
【図５】第２の実施の形態における静止画ファイル送信処理フローを説明するフローチャートである。
【図６】第３の実施の形態における静止画ファイル送信処理フローを説明するフローチャートである。
【図７】本発明のデジタルカメラ装置の変形例のソフトウエアの構成を示す概略図である。
【図８】本発明の変形例のデジタルカメラ装置と、ＰＣ端末４１〜ＮのＦＴＰ通信手順を示す概略図である。
【図９】第４の実施の形態における静止画ファイル送信処理フローを説明するフローチャートである。
【図１０】第５の実施の形態における静止画ファイル送信処理フローを説明するフローチャートである。
【図１１】第６の実施の形態における静止画ファイル送信処理フローを説明するフローチャートである。
【符号の説明】
【００１９】
Ａ  デジタルカメラ装置
２  ＣＰＵ
７  ハードキー（キー入力部）
１１  ＬＣＤ（表示部ＬＣＤ）
１２  画像伸張圧縮制御部
２１  無線ＬＡＮカード
２２  無線通信カード
２６  パソコン（ＰＣ）
２８  インターネット
３８  無線通信コントローラ
４１  パソコン端末
４７  ＬＡＮコントローラ
４８  メールサーバー
【図１】
2005135316.tif 000003
【図２】
2005135316.tif 000004
【図３】
2005135316.tif 000005
【図４】
2005135316.tif 000006
【図５】
2005135316.tif 000007
【図６】
2005135316.tif 000008
【図７】
2005135316.tif 000009
【図８】
2005135316.tif 000010
【図９】
2005135316.tif 000011
【図１０】
2005135316.tif 000012
【図１１】
2005135316.tif 000013